(57)【要約】【課題】携帯電話の使用時に起こる緊張感や精神的ストレスを緩和するマッサージ器を提供する。【解決手段】携帯電話装置ＰＳ１本体に対し別体からなる振動発生手段ＢＵ１と、基地局から送信された着信信号を受信し、該着信信号が自装置宛ての信号である場合に着信報知信号ＣＳを発生するための着信報知信号発生手段、送信スイッチが押下されたと判定した場合に、基地局に送信する送信信号ＯＳを発生するための送信報知制御手段、前記着信報知信号ＣＳ及び送信信号ＯＳに応答して前記振動発生手段ＢＵ１に制御信号を送出する制御回路１１を備える。前記着信報知制御手段から発生された着信報知信号ＣＳと送信報知信号ＯＳは、振動発生手段ＢＵ１に入力される。振動発生手段ＢＵ１は、前記着信報知信号ＣＳ及び送信信号ＯＳにより前記携帯電話装置ＰＳ１の通話中に一定時間、振動を発生する。【選択図】　図１
2004073365.tif 000002
【特許請求の範囲】
【請求項１】
携帯形移動通信装置本体に対し別体からなる振動発生手段と、基地局から送信された着信信号を受信し、該着信信号が自装置宛ての信号である場合に着信報知信号を発生するための着信報知信号発生手段、基地局に送信する送信信号を発生するための送信報知制御手段、前記着信報知信号及び送信信号に応答して前記振動発生手段に制御信号を送出する制御手段を備える前記携帯形移動通信装置本体から構成され、前記振動発生手段は、前記制御手段からの信号によって前記携帯形移動通信装置の通話中に一定時間、振動を発生することを特徴とするマッサージ器。
【請求項２】
前記振動発生手段は、振動モード選択手段及び振動時間選択手段を備え、着信を報知する着信報知モード又はマッサージ器として機能するマッサージモードが前記振動モード選択手段により選択され、着信報知モードでは着信時に、マッサージモードでは着信及び送信時に前記振動時間選択手段により選択された振動時間、振動することを特徴とする請求項１に記載のマッサージ器。
【請求項３】
前記制御手段は振動発生手段選択スイッチを備え、該振動発生手段選択スイッチによって前記振動発生手段の動作が有効又は無効にされることを特徴とする請求項１又は２に記載のマッサージ器。
【請求項４】
前記振動発生手段は、駆動部と振動部とからなり、該振動部は、前記駆動部から分離されていて電源ケーブルによって接続され、前記振動部には香りを発生する手段が具備されていることを特徴とする請求項３に記載のマッサージ器。
【請求項５】
前記振動発生手段は、駆動部と振動部とからなり、該振動部は、前記駆動部から分離されていて電源ケーブルによって接続され、前記振動部にはマイナスイオンを発生する手段が具備されていることを特徴とする請求項３に記載のマッサージ器。
【発明の詳細な説明】
【０００１】
【発明の属する技術分野】
本発明は、マッサージ器に関し、特に携帯電話の着信信号及び送信信号により作動するマッサージ器に関する。
【０００２】
【従来の技術】
自動車・携帯電話システムや簡易型携帯電話システム（ＰＨＳ；パーソナル・ハンディホン・システム）などの移動通信システムは、個人が手軽に携帯電話機を持って、サービスエリア内であればどこからでも自由に電話できるシステムであり、その普及は目覚しいものがある。その携帯電話機は、いつでも、どこでも使えるというメリットもあるが、その反面、周囲の人に対して、その通話が迷惑になり、主な乗り物、公共の場所での自粛が呼びかけられ、携帯電話機の着信音自体も鳴らさずに、携帯電話機そのものを振動させ、携帯電話機の利用者に着信を知らせる機能（以下、振動モード）が用いられている。そこで、つぎの特許公報に記載されている発明のように、着信を知らせる報知器を別体とし、その別体の報知器により着信を知らせることが考えられる。
【０００３】
その方法としては、（１）特開平８−８４２０７号公報記載のように、周囲の状況に応じて着信を知らせる別体の着信報知器において、音以外の振動や光を選択して着信報知動作を行うもの、（２）特開平６−２１８７５号公報に記載のように、携帯電話機本体と別体の着信報知器とをケーブル接続するもの、（３）特開平１０−１３６０６０公報に記載のように、別体の着信報知器を一定時間のみ振動させ、省電力して少しでも長く振動させる手段をもつものがある。
【０００４】
【発明が解決しようとする課題】
しかし、前記の各種の振動モード報知手段は、携帯電話に着信があったときのみ振動し、その送信時には振動しない。これは、前記振動モード報知手段が、着信を報知する目的であることから、当然なことである。一方、携帯電話の使用時には、緊張感や精神的ストレスが生じる場合があり、これを緩和する要求があり、かかる要求は、着信時のみに限らず、自分から電話をかける送信時にもある。しかし、前記振動モード報知手段は、携帯電話に着信があったときのみ振動するうえに、その振動する力及びその構造は、緊張感や精神的ストレスを緩和するのには不適当である。
【０００５】
本発明は、かかる問題を解決して、携帯電話の使用時に起こる緊張感や精神的ストレスを緩和すると共に、日常生活の様々な状況に即応して役立てるマッサージ器を提供することを目的としてなされたものであって、携帯電話で通話している時には、携帯電話の着信時のみならず、送信時もマッサージ器として機能するものである。
【０００６】
【課題を解決するための手段】
本発明は上記目的を達成するために請求項１記載のマッサージ器は、携帯形移動通信装置本体に対し別体からなる振動発生手段と、基地局から送信された着信信号を受信し、該着信信号が自装置宛ての信号である場合に着信報知信号を発生するための着信報知信号発生手段、基地局に送信する送信信号を発生するための送信報知制御手段、前記着信報知信号及び送信信号に応答して前記振動発生手段に制御信号を送出する制御手段を備える前記携帯形移動通信装置本体から構成され、前記振動発生手段は、前記制御手段からの信号によって前記携帯形移動通信装置の通話中に一定時間、振動を発生することを特徴とする。
【０００７】
請求項２記載のマッサージ器は、請求項１記載のマッサージ器において、振動発生手段は、振動モード選択手段及び振動時間選択手段を備え、着信を報知する着信報知モード又はマッサージ器として機能するマッサージモードが前記振動モード選択手段により選択され、着信報知モードでは着信時に、マッサージモードでは着信及び送信時に前記振動時間選択手段により選択された振動時間、振動することを特徴とする。
【０００８】
請求項３記載のマッサージ器は、請求項１記載のマッサージ器において、制御手段は振動発生手段選択スイッチを備え、該振動発生手段選択スイッチによって前記振動発生手段の動作が有効又は無効にされることを特徴とする。
【０００９】
請求項４記載のマッサージ器は、請求項３記載のマッサージ器において、振動発生手段は、駆動部と振動部とからなり、該振動部は、前記駆動部から分離されていて電源ケーブルによって接続され、前記振動部には香りを発生する手段が具備されていることを特徴とする。
【００１０】
請求項５記載のマッサージ器は、請求項３記載のマッサージ器において、振動発生手段は、駆動部と振動部とからなり、該振動部は、前記駆動部から分離されていて電源ケーブルによって接続され、前記振動部にはマイナスイオンを発生する手段が具備されていることを特徴とする。
【００１１】
【発明の実施の形態】
以下本発明の実施の形態について説明する。図１は、本発明の一実施形態におけるマッサージ器の構成を示すブロック図であって、ＰＳ１は携帯電話装置、ＢＵ１は振動発生手段をそれぞれ示している。図示しない基地局から選択設定中のチャネルを用いて、所定のタイムスロットにより送られた通信信号は、携帯電話装置ＰＳ１において、アンテナ１および共用器２を介して受信回路３に入力され、ここで周波数シンセサイザ４から出力される局部発振信号と合成されて中間周波信号に変換される。そして、この受信中間周波信号は、ディジタル変復調回路６によりフレーム同期およびビット同期が確立された上でディジタル復調される。尚、上記フレーム同期およびビット同期により得られた同期信号は例えばマイクロプロセッサなどから構成される制御手段である制御回路１１に供給される。
【００１２】
上記ディジタル変復調回路６から出力されたディジタル復調信号は、図示しない等化器で復調波形の信号等化が行なわれたのち、誤り訂正符号復号回路７で誤り訂正復号化される。ここで、この誤り訂正符号復号回路７から出力されるディジタル復調信号にはディジタル通話信号とディジタル制御信号とがあり、このうちディジタル制御信号は制御回路１１に供給されて識別される。一方ディジタル通話信号は、音声符号復号回路８で復号化処理されてアナログ通話信号に戻されたのち、受話器９に供給されてこの受話器９から拡声出力される。
【００１３】
なお、１４はコンソールユニットであり、送信スイッチやダイヤルスイッチなどのスイッチ類と、発光ダイオードや液晶表示器等の表示器類が配設されている。また、１５は電源回路であり、バッテリ１６の出力電圧を基に所定の動作電圧ＶＣＣを生成して上記各回路に供給している。
【００１４】
前記コンソールユニット１４の図示していない送信スイッチが押下され、送信状態が確立されると、話者の送話音声は送話器１０で送話信号に変換されたのち、音声符号復号回路８で符号化される。そして、この符号化により得られたディジタル送話信号は、制御回路１１から出力されるディジタル制御信号と共に誤り訂正符号復号回路７で誤り訂正符号化されたのち、ディジタル変復調回路６に入力される。このディジタル変復調回路６では、上記誤り訂正符号復号回路７から供給されたディジタル送信信号に応じた中間周波数の変調信号が発生され、送信回路５に入力される。送信回路５では、上記変調信号が周波数シンセサイザ４から出力される局部発振信号と合成されて高周波信号に変換され、この高周波信号は高周波増幅されたのち共用器２を介してアンテナ１から基地局へ向けて送信される。
【００１５】
ところで、上記制御回路１１は、例えばマイクロコンピュータを主制御部として備えたもので、通信チャネルの選択設定や通話に係わる種々制御を行なう機能に加えて、着信報知制御手段及び送信報知制御手段を備える。受信されたディジタル制御信号が着信信号であり、かつこの着信信号が当該携帯電話宛てのものであると判定した場合に、前記着信報知制御手段は、着信報知信号ＣＳを発生して鳴動駆動回路１２に供給する。鳴動駆動回路１２は、上記着信報知信号ＣＳにしたがって鳴動駆動信号を発生してスピーカ１３に供給し、これによりスピーカ１３から呼出鳴音を発生させると共に、上記着信報知信号ＣＳは、振動発生手段ＢＵ１にも入力される。又、前記コンソールユニット（ＣＵ）１４の図示していない送信スイッチが押下されたと判定した場合に、前記送信報知制御手段から送信報知信号ＯＳが発生されて振動発生手段ＢＵ１に入力される。
【００１６】
また、制御回路１１には、振動発生手段選択スイッチＳＷが接続されている。該振動発生手段選択スイッチＳＷは、当該マッサージ器の使用者がいつでも操作可能なように、図示していない携帯電話装置ＰＳ１本体に設けられていて、振動発生手段選択スイッチＳＷは常時開かれている。かかる振動発生手段選択スイッチＳＷの状態が上記制御回路１１により後述するタイミングで取込まれると、振動発生手段ＢＵ１の機能が有効にされる。又、振動発生手段選択スイッチＳＷが閉じられ、かかる状態が上記制御回路１１により後述するタイミングで取込まれると、振動発生手段ＢＵ１の機能が無効にされる。ここで、「有効」とは、制御回路１１から送信報知信号ＯＳと着信報知信号ＣＳとが出力されることを表し、「無効」とは、制御回路１１から送信報知信号ＯＳと着信報知信号ＣＳとが出力されないことを表わす。なお、振動発生手段選択スイッチＳＷの開閉状態と、振動発生手段ＢＵ１の有効／無効の対応はこれ以外であってもよい。即ち、振動発生手段選択スイッチＳＷは常時閉じられていて、かかる振動発生手段選択スイッチＳＷの状態が上記制御回路１１により取込まれると、振動発生手段ＢＵ１の機能が有効にされるようにしてもよい。更に前記振動発生手段選択スイッチＳＷは、携帯電話本体または別体からなる振動発生手段ＢＵ１に設け、該振動発生手段ＢＵ１の制御により前記同様の作用をなしてもよい。
【００１７】
振動発生手段ＢＵ１は、例えば使用者の肩などに押圧可能な形状で形成され、バイブレータ（振動部）２１と、このバイブレータ２１を駆動する振動駆動回路（駆動部）２２と、コネクタ端子２３とを備えている。一方、上記制御回路１１から出力された送信報知信号ＯＳと着信報知信号ＣＳは、コネクタ端子１７およびこのコネクタ端子１７に接続される接続ケーブル３０、コネクタ端子２３を介してそれぞれ取り込まれる。振動駆動回路２２は、上記コネクタ端子２３を介して取り込まれた送信報知信号ＯＳと着信報知信号ＣＳに従ってバイブレータ２１を振動駆動する。
【００１８】
また振動発生手段ＢＵ１は、独自の電源回路２４およびバッテリ２５を備えている。そして、このバッテリ２５の出力を基に電源回路２４でバイブレータ２１が動作する所定の動作電圧ＶＤＤを生成し、この動作電圧ＶＤＤを上記バイブレータ２１または駆動回路２２に供給している。その結果、マッサージ器としての十分な振動を得ることが可能である。
【００１９】
なお、上記振動発生手段ＢＵ１は、携帯電話装置ＰＳ１本体に対し別体として、作成し、振動発生手段ＢＵ１と携帯電話装置ＰＳ１を一体形成にしてもよい。かかる場合にはコネクタ端子１７、２３およびこのコネクタ端子１７、２３に接続される接続ケーブル３０を省略できる。
【００２０】
前記振動駆動回路２２は、例えば図示していないマイクロプロセッサなどから構成され、振動時間の制御を行なうと共に、複数の振動モードでバイブレータ２１を振動させる。前記振動時間と複数の振動モードは、予め前記マイクロプロセッサの図示していないＲＯＭに格納されているプログラムに従って、マイクロプロセッサが、例えばスイッチなどからなる振動時間選択手段４１と振動モード選択手段４２の、選択されたスイッチ位置をそれぞれセンスして決定する。なお、振動時間選択手段４１と振動モード選択手段４２は当該マッサージ器の使用者が容易に操作できるように振動発生手段ＢＵ１に設けられている。又、振動時間選択手段４１と振動モード選択手段４２に代わって、制御回路１１から振動駆動回路２２にコマンドを送信して、該コマンドにより設定するようにしてもよい。
【００２１】
使用者は、前記振動モード選択手段４２により着信報知モードと、マッサージモードの何れかを選択することができる。着信報知モードでは着信時のみに振動し、その振動の強さは着信の確認ができる程度に弱く、マッサージモードでは着信／送信時に振動し、その振動の強さは前記着信報知モードの振動に比べて強く、緊張感や精神的ストレスを解消するのに充分な強さに設定されている。前記着信報知モードでは着信報知信号ＣＳによって着信報知機能が、マッサージモードでは着信報知信号ＣＳと送信報知信号ＯＳによってマッサージ機能が、それぞれ有効となる。なお、前記マッサージモードでの振動の強さは、振動開始当初は、着信の確認ができる程度に弱く、次第に強くなるように設定されているが、振動発生手段ＢＵ１にマッサージ開始スイッチを設け、かかるスイッチが入れられた時に着信報知モードでの弱い振動から、強い振動に変更するようにしてもよい。
【００２２】
なお、前記マッサージモードにおける振動の強さは、振動発生手段ＢＵ１に複数種類の振動強度切替えスイッチを設け、かかるスイッチを切替えて変更するようにしてもよく、あるいは、前記振動時間選択手段４１の振動時間により変更するようにしてもよく、あるいは又、制御回路１１から振動駆動回路２２にコマンドを送信して、該コマンドにより変更するようにしてもよい。
【００２３】
振動時間選択手段４１は、複数種類の振動時間の中から選択可能になっていて、例えば、１０秒、３０秒、１分などである。なお、振動発生手段選択スイッチＳＷを振動時間選択手段４１に設けてもよい。即ち、前記振動時間が０の場合には、振動発生手段選択スイッチＳＷが無効になっていて、前記振動時間が０以外の場合には振動発生手段選択スイッチＳＷが有効になっているようにしてもよい。前記振動モードの何れかが振動モード選択手段４２により選択され、振動発生手段選択スイッチＳＷが有効である時に、振動駆動回路２２はバイブレータ２１を前記振動時間選択手段４１により選択された振動時間、振動する。
【００２４】
次に、以上のように構成された装置の動作を説明する。携帯電話装置ＰＳ１の待受状態において、基地局から当該携帯電話宛ての着信信号が到来したか否かが制御回路１１により監視されている。この状態で、当該携帯電話宛ての着信信号が受信検出されると、携帯電話装置ＰＳ１の制御回路１１から着信報知信号ＣＳが発生され、この着信報知信号ＣＳは鳴動駆動回路１２に入力される。このため、鳴動駆動回路１２から鳴動駆動信号が発生されてスピーカ１３に供給され、この結果スピーカ１３からは呼出鳴音が拡声出力される。
【００２５】
一方、振動発生手段選択スイッチＳＷの状態が制御回路１１により取込まれ、振動発生手段ＢＵ１の機能が有効な場合に、上記着信報知信号ＣＳは、携帯電話装置ＰＳ１のコネクタ端子１７から接続ケーブル３０およびコネクタ端子２３をそれぞれ介して振動発生手段ＢＵ１の振動駆動回路２２に入力される。このため、着信時に振動駆動回路２２からは振動駆動信号が発生されてバイブレータ２１に供給され、この結果バイブレータ２１は振動動作を行なう。
【００２６】
したがって、このとき使用者には携帯電話装置ＰＳ１のスピーカ１３から発生される鳴音と、振動発生手段ＢＵ１の振動とにより着信の発生が報知される。かかる場合に、前記振動モード選択手段４２により着信報知モードが選択されていると、その振動は着信の確認ができる程度に弱く、マッサージモードモードが選択されていると、その振動は徐々に強まり、前記着信報知機能時の振動に比べて強く、緊張感や精神的ストレスを解消するのに充分な強さになる。その結果、前記振動モード選択手段４２によりマッサージモードが選択されていると着信中にバイブレータ２１でマッサージを行なうことができる。
【００２７】
また、携帯電話装置ＰＳ１の前記送信報知制御手段は、待受状態において制御回路１１は、割り込み処理、あるいは一定時間毎のポーリング処理などにより、前記コンソールユニット１４の図示していない送信スイッチが押下されたと判定した場合に基地局との通信を開始すると共に、送信報知信号ＯＳが発生されて携帯電話装置ＰＳ１のコネクタ端子１７から接続ケーブル３０およびコネクタ端子２３をそれぞれ介して振動発生手段ＢＵ１の振動駆動回路２２に入力される。このため、送信時にも振動駆動回路２２からは振動駆動信号が発生されてバイブレータ２１に供給され、この結果バイブレータ２１は振動動作を行ない送信中にバイブレータ２１でマッサージを行なうことができる。
【００２８】
図２は、前記振動以外に、緊張感や精神的ストレスを解消する手段を加えた実施形態を示す図である。図２において、携帯電話装置ＰＳ１に対し別体からなる振動発生手段ＢＵ１は、駆動手段３２とバイブレータ２１とからなり、該バイブレータ２１は、前記駆動手段３２から電源ケーブルＬによって分離されている。駆動手段３２には駆動部２２のほかに、電源回路２４およびバッテリ２５、コネクタ端子４４、２３を備えている。なお、前記振動時間選択手段４１と振動モード選択手段４２は図示を省略してある。駆動手段３２とバイブレータ２１との間はコネクタ端子４４、４５の間が電源ケーブルＬで接続されている。
【００２９】
前記バイブレータ２１は、例えば、モータ４６の回転軸４８の先端に、該回転軸４８の中心からずれた位置に設けられている重り４７とで構成される振動モータが収納されている。前記重り４７又は、回転軸４８の周辺には、香りを発生する図示していない芳香手段が装着されており、前記モータ４６が回転し、重り４７により回転に振動が加わり、その振動と共に前記芳香手段から香りが放散される。なお、前記図示していない芳香手段は、重り４７と共に、あるいは、独立して交換可能な構造であってもよい。又、前記芳香手段に代わり、マイナスイオンを発生する、例えばトルマリン（電気石）などを用いてもよい。あるいは、重り４７にトルマリンを用いてもよい。
【００３０】
【発明の効果】
本発明のマッサージ器によれば、携帯電話の着信信号及び送信信号により作動し、携帯電話の通話中に一定時間、振動を発生することにより、携帯電話の使用時に起こる緊張感や精神的ストレスを緩和すると共に、日常生活の様々な状況に即応して役立てることができる。
【００３１】
また、前述したような芳香手段またはマイナスイオン発生手段が備えられた結果、通話中に振動発生手段が一定時間、振動すると、芳香剤から芳香がなされ、又はマイナスイオン発生手段からマイナスイオンが発生され、マッサージ機能と共に、緊張感や精神的ストレスを解消する効果がさらに大になる。
【図面の簡単な説明】
【図１】本発明の一実施例におけるマッサージ器の構成を示すブロック図である。
【図２】本発明の緊張感や精神的ストレスを解消する手段を備えた実施形態を示す図である。
【符号の説明】
Ｓ１　携帯電話装置
ＢＵ１　振動発生手段
ＳＷ　振動発生手段選択スイッチ
１１　制御回路
２１　バイブレータ
２２　振動駆動回路
３２　駆動手段
４１　振動時間選択手段
４２　振動モード選択手段
【図１】
2004073365.tif 000003
【図２】
2004073365.tif 000004